(57)【特許請求の範囲】
【請求項１】
被測定試料を着脱自在に装着する試料装着部と、該試料装着部の下方に連通接続された測定円筒部と、該測定円筒部の下方に連通接続され、前記被測定試料を通して所要流量に調整された空気を吸引する空気流量調節部とを有し、前記測定円筒部を長手方向中間部に介装した電気モジュール型空気流量計により、上部の試料装着部側の第１背圧室と下部の空気流量調節部側の第２背圧室とに二分すると共に、第１背圧室から第２背圧室に流れる空気流量を測定して出力可能とし、また、前記第１背圧室に管路接続させた電気モジュール型空気差圧計により、該第１背圧室の内圧と大気圧との差圧を測定して出力可能とし、これらのそれぞれに測定された流量値信号と差圧値信号とから被測定試料の通気度を得られるようにしたことを特徴とする通気度測定装置。
【請求項２】
上記第１背圧室の一部にテーパー形状からなる傾斜部を有している請求項１記載の通気度測定装置。
【請求項３】
上記テーパー形状の傾斜角を片側略１５°以下にした請求項２記載の通気度測定装置。
【発明の詳細な説明】
【０００１】
【発明の属する技術分野】
本発明は、通気性試料の通気度を測定する通気度測定装置の改良に関するものである。
【０００２】
【従来の技術】
一般に、布を空気が通過する度合いを通気度と呼び、その凡例は既にＪＩＳ規格にも定められている。従来のこの種の通気度測定装置として、ここでは布を介して生ずる圧力差を一定としたとき、通過する空気の速度を測定して通気度を得られるようにした，いわゆるフラジール型の通気度測定装置の場合の概要構成を図２に示す。
【０００３】
即ち、図２に示す装置構成において、従来の通気度測定装置３０は、装置テーブル３１上に設置されて被測定試料（以下、単に試料という）Ａを着脱自在に装着する試料装着部３２と、該試料装着部３２の下方に連通接続された測定円筒部３３と、該測定円筒部３３の下方に連通接続され、試料Ａを通して所要流量に調整された空気を吸引する空気流量調節部３４と、別に、それぞれ水柱マノメータからなる通気度測定部３５とで構成されている。
【０００４】
ここで、前記試料装着部３２は、試料Ａを載置する試料載置枠台３６と、該載置される試料Ａを試料載置枠台３６上に挟着するクランプ部材３７とを有し、該クランプ部材３７には、中央部に空気吸入口３７ａが開口されている。前記測定円筒部３３内は、仕切り板３８で上下に二分され、上部の試料装着部３２側に第１背圧室４０，下部の空気流量調節部３４側に第２背圧室４１をそれぞれに設定すると共に、該仕切り板３８の中央部に所要孔径に開口した流量測定用のオリフィス３９を形成させてあり、該オリフィス３９の孔径に関しては、複数種類のものを用意して取り替え利用する。前記空気流量調節部３４は、吸引空気量可変型の吸引ファン４２を用い、吸引口部４４付きのエアバッフル板４３を介して所要流量の空気を吸引し、且つ末端の排出口４５から排出する。前記通気度測定部３５は、第１背圧室４０内のオリフィス３９に近付けた該当部分に一端開口部４６ａを連通させた貯水部４７付きの傾斜型気圧計（いわゆる，傾斜型水柱マノメータ）４６と、同様に第２背圧室４１内のオリフィス３９に近付けた該当部分に一端開口部４８ａを連通させた貯水部４９付きの垂直型気圧計（いわゆる，垂直型水柱マノメータ）４８とをそれぞれに有している。
【０００５】
上記構成による従来の通気度測定装置３０は、よく知られているように、第１背圧室４０側からオリフィス３９を通過する空気流が、該オリフィス３９で一旦絞られることから、該通過時の収縮損失や粘性による摩擦損失等によって圧力が低下するのを利用したもので、オリフィス３９の前後の圧力差を用いて通過空気量，ひいては試料Ａの通気量を測定するのである。
【０００６】
【発明が解決しようとする課題】
従来の通気度測定装置は、上記のように構成され、測定計器としての傾斜型気圧計及び垂直型気圧計に水柱マノメータを採用しているので、使用されている水に気泡や腐敗を生ずる惧れとか洩れる等の不都合があり、必ずしも常に正確な通気度測定をなし得ないものであった。
【０００７】
また、測定に際しては、スケールの異なるオリフィス３９を取り替えながら、測定に適した基準孔径のオリフィスを選択しなければならないという点や、測定差圧から基準表を参照して流量値に読み替える必要がある等の点で比較的面倒な操作を行わなければならない。
【０００８】
一方、構造的にみても、傾斜型気圧計及び垂直型気圧計を採用する上での各構成や、オリフィス３９を含む仕切り板３８の取り替えに要する付帯的構成等が必然的に要求され、この結果、構造が比較的煩雑になり易く、装置自体も高価になるという問題点もある。
【０００９】
本発明は、このような従来の問題点を解消するためになされたもので、その目的とするところは、比較的簡単な構成で正確な測定を行ない得るようにした通気度測定装置を提供することである。
【００１０】
【課題を解決するための手段】
前記目的を達成するために、本発明に係る通気度測定装置は、被測定試料を着脱自在に装着する試料装着部と、該試料装着部の下方に連通接続された測定円筒部と、該測定円筒部の下方に連通接続され、前記被測定試料を通して所要流量に調整された空気を吸引する空気流量調節部とを有し、前記測定円筒部を長手方向中間部に介装した電気モジュール型の空気流量計により、上部の試料装着部側の第１背圧室と下部の空気流量調節部側の第２背圧室とに二分すると共に、第１背圧室から第２背圧室に流れる空気流量を測定して出力可能とし、また、前記第１背圧室に管路接続させた電気モジュール型の空気差圧計により、該第１背圧室の内圧と大気圧との差圧を測定して出力可能とし、これらによって測定された流量値信号と差圧値信号とから被測定試料の通気度を得られるようにしたことを特徴としている。
また、上記第１背圧室の一部にテーパー形状からなる傾斜部を有していることが好ましい。
さらに、上記テーパー形状の傾斜角を片側略１５°以下にすることが最適である。
【００１１】
【発明の実施の形態】
以下、本発明に係る通気度測定装置の一実施形態例につき、図１を参照して詳細に説明する。
【００１２】
図１は、本実施形態例を適用した通気度測定装置の概要を模式的に示す構成説明図である。
【００１３】
即ち、図１に示す実施形態例による装置構成において、本通気度測定装置１０は、装置テーブル１１上に設置されて被測定試料Ａを着脱自在に装着する試料装着部１２と、該試料装着部１２の下方に連通接続された測定円筒部１３と、該測定円筒部１３の下方に連通接続され、被測定試料Ａを通して所要流量に調整された空気を吸引する空気流量調節部１４とを有しており、ここでは別に、通気度測定部としてのそれぞれに電気モジュール型の空気差圧計１５及び空気流量計１６と、これらの各測定計器によって得られる空気差圧値信号ａ及び空気流量値信号ｂを入力し、目的の通気度を演算して出力する演算処理装置，例えば、マイクロコンピュータ１７とで構成される。
【００１４】
前記試料装着部１２は、先に述べた従来の場合と同様に、被測定試料Ａを載置する試料載置枠台１８と、該載置される被測定試料Ａを試料載置枠台１８上に着脱自在に挟着する空気吸入口１９ａ付きのクランプ部材１９とを有している。前記測定円筒部１３には、長手方向中間部内に前記空気流量計１６が介装されており、内部が該空気流量計１６によって上下に二分され、上部の試料装着部１２側に前記空気差圧計１５を管路接続させた第１背圧室２０，下部の空気流量調節部１４側に第２背圧室２１をそれぞれに設定する。前記空気流量調節部１４は、前記第２背圧室２１に吸引空気量可変型の吸引ファン２２を接続して用い、所要流量の空気を吸引し、且つ末端の排出口２３から排出する。
【００１５】
而して、上記実施形態例構成による本通気度測定装置１０では、以下の通りの作用をもたらす。試料載置枠台１８に、被測定試料Ａを伸ばして載置し、その上にクランプ部材１９を載せて、被測定試料Ａを挟着する。
【００１６】
試料Ａを測定可能な状態にしたら、吸引ファン２２を作動させて、空気差圧計１５の値に応じて所要流量に調整された空気を吸引する。よって、空気差圧計１５は、吸引ファン２２により吸引された空気による流量と大気圧との差圧を測定することができ、目的の通気度を演算すれば通気度を得ることができる。このとき、空気差圧計１５及び空気流量計１６によって得られる空気差圧値信号ａ及び空気流量計信号ｂをマイクロコンピュータ１７に入力し、通気度を演算して出力するとよい。
【００１７】
本実施例では、空気を吸入し易くするために、第１背圧室２１の一部にテーパー形状から成る傾斜部２１ａを有している。また、テーパー形状の傾斜部２１ａの傾斜角が片側略１５゜以下であることが好ましい。
【００１８】
【発明の効果】
以上、実施例形態例によって詳述したように、本発明に係る通気度測定装置によれば、電気モジュール空気差圧計を使用していることより、容易に差圧を測定することができ、また、水柱マノメータで測定する必要がないので、水の気泡現象、界面現象、腐敗現象及び漏れ現象等の恐れがなくなった。また、電気モジュール空気流量計を使用しているので、空気孔を取り付ける必要はなく、空気孔の交換や、円筒部をガラス管にする必要性、及び空気孔の交換のための窓の設置等の必要性がなくなった。さらに、空気流量値及び差圧値を信号等で出力することにより被測定試料の通気度を得られるようにしたことにより、装置が簡易化されて、空気流量と差圧との関係を示した表の作成や、それに伴う複雑な計算をする手間も省かれ、容易に通気度を得ることが可能である等の実用上優れた種々の特長がある。
【図面の簡単な説明】
【図１】本発明の一実施形態例を適用した通気度測定装置の概要を模式的に示す構成説明図である。
【図２】従来例による通気度測定装置の概要を模式的に示す構成説明図である。
【符号の説明】
Ａ  被測定試料
１０  通気度測定装置
１１  装置テーブル
１２  試料装着部
１３  測定円筒部
１４  空気流量調節部
１５  電気モジュール型の空気差圧計
ａ  差圧測定信号出力
１６  電気モジュール型の空気流量計
ｂ  流量測定信号出力
１７  マイクロコンピュータ（演算処理装置）
１８  試料載置枠台
１９  クランプ部材
１９ａ  空気吸入口
２０  第１背圧室
２１  第２背圧室
２２  吸引空気量可変型の吸引ファン
２３  排出口
【図１】
0003908311.tif 000002
【図２】
0003908311.tif 000003